(57)【特許請求の範囲】
【請求項１】
コインによる入金処理を行なうためのコイン制御手段と、
非接触ＩＣカード、携帯電話、または携帯端末との間で通信を行なう通信手段と、
前記通信手段での通信結果に基づいて、電子マネーでの支払が可能か否かを判定する判定手段と、
写真を撮影する撮影手段と、
前記撮影の対価としての金額分の入金処理を行なう入金処理手段とを備え、
前記入金処理手段は、前記コイン制御手段において特定種類のコインのみを用いた入金処理を行なう場合に、前記撮影の対価としての金額分の入金処理を、前記判定手段の判定結果に応じて前記特定種類のコイン１枚の金額に相当する、予め規定された単位金額ごとに前記電子マネーによって行なう、写真シール作成装置。
【請求項２】
前記入金処理手段は、前記撮影の対価のうちの、前記単位金額の整数倍の金額であって、前記電子マネーの残金を超えない最大の金額分の入金処理を前記電子マネーによって行なう、請求項１に記載の写真シール作成装置。
【請求項３】
前記入金処理手段は、前記単位金額の整数倍の金額であって、前記電子マネーの残金を超えない最大の金額分の入金処理の後に、前記撮影の対価の残金の入金を指示する、請求項２に記載の写真シール作成装置。
【請求項４】
ユーザからの、前記電子マネーにより入金する金額の指定を受付けるための入力手段をさらに備え、
前記入力手段は、前記単位金額ごとに前記電子マネーにより入金する操作を受付け、
前記入金処理手段は、前記入力手段で受付けた前記操作に応じて、前記単位金額ごとに前記電子マネーによる入金処理を行なう、請求項１に記載の写真シール作成装置。
【請求項５】
ユーザからの、前記電子マネーにより入金する金額の指定を受付けるための入力手段をさらに備え、
前記入力手段は、前記単位金額の整数倍の金額と残金との組み合わせを複数組提示してその中から前記電子マネーにより入金する金額と残金との組み合わせの指定を受付ける、
請求項１に記載の写真シール作成装置。
【請求項６】
前記判定手段は、前記通信結果に基づいて前記電子マネーで前記単位金額の支払いが可能か否かを判定し、
前記電子マネーで前記単位金額の支払いが不可能と判定された場合に、前記撮影手段での撮影を実行せずに、他の方法での前記撮影の対価の金額分の入金処理がなされるまで前記撮影を待機させる制御手段をさらに備える、請求項１に記載の写真シール作成装置。
【請求項７】
前記コイン制御部は、前記通信手段での通信よりも先に前記特定種類のコインの投入を受付けると前記撮影の対価としての金額分の入金処理を前記特定種類のコインによって行ない、
前記入金処理手段は、前記特定種類のコインの投入よりも先に前記通信手段での通信がなされ、その結果に基づいて前記電子マネーでの支払いが可能と判定された場合に、前記撮影の対価としての金額分の入金処理を前記電子マネーによって行なう、請求項１〜６のいずれかに記載の写真シール作成装置。
【請求項８】
前記入金処理部は、
人数の入力をユーザから受付ける受付手段を備え、
前記受付けられた人数に従って入金処理を行なう、請求項１〜７のいずれかに記載の写真シール作成装置。
【請求項９】
前記入金処理部は、入金された金額の返金処理を行なうことが可能である、請求項１〜８のいずれかに記載の写真シール作成装置。
【請求項１０】
コインによる入金処理を行なうためのコイン制御手段と電子マネーによる入金処理を行なう入金処理手段とを備えた写真シール作成装置の制御方法であって、
非接触ＩＣカード、携帯電話、または携帯端末との間で通信を行なう通信ステップと、
前記通信ステップでの通信結果に基づいて、電子マネーでの支払が可能か否かを判定する判定ステップと、
撮影の対価としての金額分の入金処理を行なう入金処理ステップと、
写真を撮影する撮影ステップとを備え、
前記入金処理ステップは、前記コインによる入金処理として特定種類のコインのみを用いた入金処理を行なう場合に、前記撮影の対価としての金額分の入金処理を、前記判定ステップの判定結果に応じて前記特定種類の前記コイン１枚の金額に相当する、予め規定された単位金額ごとに前記電子マネーによって行なう、写真シール作成装置の制御方法。
【請求項１１】
コインによる入金処理を行なうためのコイン制御手段と電子マネーによる入金処理を行なう入金処理手段とを備えた写真シール作成装置を制御するための制御プログラムであって、
非接触ＩＣカード、携帯電話、または携帯端末との間で通信を行なう通信ステップと、
前記通信ステップでの通信結果に基づいて、電子マネーでの支払が可能か否かを判定する判定ステップと、
撮影の対価としての金額分の入金処理を行なう入金処理ステップと、
写真を撮影する撮影ステップとをコンピュータに実行させ、
前記入金処理ステップは、前記コインによる入金処理として特定種類のコインのみを用いた入金処理を行なう場合に、前記撮影の対価としての金額分の入金処理を、前記判定ステップの判定結果に応じて前記特定種類のコイン１枚の金額に相当する、予め規定された単位金額ごとに前記電子マネーによって行なう、写真シール作成装置の制御プログラム。
【発明の詳細な説明】
【技術分野】
【０００１】
この発明は写真シール作成装置、写真シール作成装置の制御方法、および写真シール作成装置の制御プログラムに関し、特に非接触ＩＣカード、携帯電話、または携帯端末との間で通信を行なうことで電子マネーでの支払が可能である写真シール作成装置、写真シール作成装置の制御方法、および写真シール作成装置の制御プログラムに関する。
【背景技術】
【０００２】
近年、ゲームセンターなどの遊技を提供する店舗において、写真を撮影してシールプリントなどにする写真シール作成装置が数多く設置されている。このような写真シール作成装置には、一般に、被写体である利用者を写真シール作成装置に付属のカメラで撮影した画像を、タブレットディスプレイなどに表示して付属のタッチペンで文字や図形などを入力する、いわゆる落書きやお絵描きと言われている編集機能があるものが一般的になっている。そして、このような編集入力された画像は撮影画像と合成され、その合成画像がプリンタで印刷されて利用者に提供される。
【０００３】
このような写真シール作成装置は、所定のコイン投入口にコインが所定枚数投入された場合にプレイが開始されるようになっている。
【０００４】
下記特許文献１には、利用者の所持する携帯電話機などから利用者を識別するためのＩＤを取得し、課金可能な利用者のＩＤと当該利用者に対して課金した金額を示す課金情報とを対応付けて記憶するサーバで取得したＩＤを照会し、ＩＤを照会した結果としてサーバから写真プリント装置の利用許可の通知を受付けることにより、写真プリント装置の利用内容に応じて利用に課金すべき金額を設定し、その金額を示す課金情報を利用者の識別情報と対応付けて課金管理装置に対して通知する写真プリント装置が開示されている。
【０００５】
また、下記特許文献２には、前回の料金収受が行なわれた時刻を用いて時間差が所定時間以下である場合、それ以降のカードリーダ／ライタとの通信を無効にし二重課金を防止する技術が開示されている。
【特許文献１】特開２００４−１７１０６８号公報
【特許文献２】特開２００４−３６２１２４号公報
【発明の開示】
【発明が解決しようとする課題】
【０００６】
写真シール作成装置においては、その利用の対価としてコインを投入することが一般的である。しかしながら、従来の写真シール作成装置においてはコインしか利用できないため、利用者は紙幣などをコインに両替する必要があり、煩わしいという問題があった。
【０００７】
この発明は上記問題点を解決するためになされたものであり、ユーザが撮影の対価としての金額分の入金を容易に行なうことができる写真シール作成装置、写真シール作成装置の制御方法、および写真シール作成装置の制御プログラムを提供することを目的としている。
【課題を解決するための手段】
【０００８】
上記目的を達成するためこの発明のある局面に従うと、写真シール作成装置は、コインによる入金処理を行なうためのコイン制御手段と、非接触ＩＣカード、携帯電話、または携帯端末との間で通信を行なう通信手段と、通信手段での通信結果に基づいて、電子マネーでの支払が可能か否かを判定する判定手段と、写真を撮影する撮影手段と、撮影の対価としての金額分の入金処理を行なう入金処理手段とを備え、入金処理手段は、コイン制御手段において特定種類のコインのみを用いた入金処理を行なう場合に、撮影の対価としての金額分の入金処理を、判定手段の判定結果に応じて上記特定種類のコイン１枚の金額に相当する、予め規定された単位金額ごとに電子マネーによって行なう。
【０００９】
好ましくは入金処理手段は、撮影の対価のうちの、前記単位金額の整数倍の金額であって、前記撮影の対価を超えない最大の金額分の入金処理を前記電子マネーによって行なう。
好ましくは入金処理手段は、前記単位金額の整数倍の金額であって、前記撮影の対価を超えない最大の金額分の入金処理の後に、残金の入金を指示する。
【００１０】
好ましくは、写真シール作成装置はユーザからの電子マネーにより入金する金額の指定を受付けるための入力手段をさらに備え、入力手段は、単位金額ごとに電子マネーにより入金する操作を受付け、入金処理手段は、入力手段で受付けた操作に応じて、単位金額ごとに電子マネーによる入金処理を行なう。
好ましくは、判定手段は通信結果に基づいて電子マネーで単位金額の支払いが可能か否かを判定し、写真シール作成装置は、電子マネーで単位金額の支払いが不可能と判定された場合に、撮影手段での撮影を実行せずに、他の方法での撮影の対価の金額分の入金処理がなされるまで撮影を待機させる制御手段をさらに備える。
【００１１】
好ましくは、コイン制御部は、通信手段での通信よりも先に上記特定種類のコインの投入を受付けると撮影の対価としての金額分の入金処理を上記特定種類のコインによって行ない、入金処理手段は、上記特定種類のコインの投入よりも先に通信手段での通信がなされ、その結果に基づいて電子マネーでの支払いが可能と判定された場合に、撮影の対価としての金額分の入金処理を電子マネーによって行なう。
【００１２】
好ましくは入金処理部は、人数の入力をユーザから受付ける受付手段を備え、受付けられた人数に従って入金処理を行なう。
【００１３】
好ましくは入金処理部は、入金された金額の返金処理を行なうことが可能である。
好ましくは入金処理部は、予め定められた金額の入金処理を複数回行なう。
【００１４】
この発明の他の局面に従うと、写真シール作成装置の制御方法はコインによる入金処理を行なうためのコイン制御手段と電子マネーによる入金処理を行なう入金処理手段とを備えた写真シール作成装置の制御方法であって、非接触ＩＣカード、携帯電話、または携帯端末との間で通信を行なう通信ステップと、通信ステップでの通信結果に基づいて、電子マネーでの支払が可能か否かを判定する判定ステップと、撮影の対価としての金額分の電子マネーによる入金処理を行なう入金処理ステップと、写真を撮影する撮影ステップとを備え、入金処理ステップは、コインによる入金処理として特定種類のコインのみを用いた入金処理を行なう場合に、撮影の対価としての金額分の入金処理を、判定ステップの判定結果に応じて上記特定種類のコイン１枚の金額に相当する、予め規定された単位金額ごとに電子マネーによって行なう。
【００１５】
この発明のさらに他の局面に従うと、写真シール作成装置の制御プログラムはコインによる入金処理を行なうためのコイン制御手段と電子マネーによる入金処理を行なう入金処理手段とを備えた写真シール作成装置を制御するための制御プログラムであって、非接触ＩＣカード、携帯電話、または携帯端末との間で通信を行なう通信ステップと、通信ステップでの通信結果に基づいて、電子マネーでの支払が可能か否かを判定する判定ステップと、撮影の対価としての金額分の入金処理を行なう入金処理ステップと、写真を撮影する撮影ステップとをコンピュータに実行させ、入金処理ステップは、コインによる入金処理として特定種類のコインのみを用いた入金処理を行なう場合に、撮影の対価としての金額分の入金処理を、判定ステップの判定結果に応じて上記特定種類のコイン１枚の金額に相当する、予め規定された単位金額ごとに電子マネーによって行なう。
【発明の効果】
【００１６】
上記発明に従うと非接触ＩＣカードなどとの間での通信結果に基づいて電子マネーでの支払が可能か否かが判定され、判定結果に応じて電子マネーによる入金処理が行なわれ、撮影の対価としての金額分の入金処理が行なわれる。これにより、装置の利用対価の入金方法を多様化することができ、装置利用への動機づけができるとともに、利用者の使い勝手のよい写真シール作成装置、写真シール作成装置の制御方法、および写真シール作成装置の制御プログラムを提供することが可能となる。
【発明を実施するための最良の形態】
【００１７】
［第１の実施の形態］
［写真シール作成装置の外観］
図１は、本発明の実施の形態の１つにおける写真シール作成装置の外観の具体例を示す斜視図であり、図２は横から見た図であり、図３は上から見た図である。
【００１８】
図を参照して、写真シール作成装置は、撮影筐体１０と編集筐体１１ａ，１１ｂとを備え、フレーム材（構造材）やパネル（壁面）やカーテン１２ａ，１２ｂなどで外部と区分された空間を備える。さらに、写真シール作成装置の上述の空間は、撮影筐体１０の前方に存在する主に撮影操作を行なう撮影空間２と、編集筐体１１ａ，１１ｂの付近に存在す
る主に編集操作を行なう複数の編集空間３ａ，３ｂとに分かれる。
【００１９】
撮影筐体１０は、撮影空間２内の被写体である装置利用者を撮影するためのカメラ２１と、カメラ２１により得られた映像をリアルタイムに表示する撮影操作用ディスプレイ２３と、蛍光灯やフラッシュを内蔵する照明装置２４と、プリント物を出力するプリント提供部８とを備えている。
【００２０】
また、撮影空間２内には、撮影を行なう被写体が登ったりつかまったりすることで体の位置を支えるための補助部材９３，９５が備えられている。
【００２１】
撮影により得られた画像に対して編集操作によって入力されたスタンプ画像などを合成した合成画像は、印刷データとしてレイアウトされ、シールシートにされ、プリント提供部８のプリント取出し口に排出される。
【００２２】
［写真シール作成装置の機能構成］
図４は、写真シール作成装置の機能構成の具体例を示す図である。
【００２３】
図４を参照して、本実施の形態にかかる写真シール作成装置は、各機能や処理動作のた
めの演算、制御の中心部となり、主に撮影側で行なわれるプレイの処理動作と、印刷を実行する第１コンピュータ装置１００ａと、主に編集側で行なわれるプレイの処理動作を実行する第２コンピュータ装置１００ｂと（説明の便宜上区別する必要がない場合は、これらをまとめてコンピュータ装置１００という。）、基板から構成され、コンピュータ装置１００からの指示を受けて、接続してある各種装置を制御、駆動する制御部１１０とを備える。第１コンピュータ装置１００ａと第２コンピュータ装置１００ｂとは、互いに接続され、画像データや情報データなどの授受をピアツーピアで行なう。これらは写真シール作成装置の制御手段として機能する。
【００２４】
写真シール作成装置は、電源を必要とする蛍光灯２８、ストロボ２６、制御部１１０などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチ１０７を押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００２５】
第１コンピュータ装置１００ａは、第１コンピュータ装置１００ａの中心部として演算処理を行なう演算装置であるＣＰＵ(Central Processing Unit)１０１ａと、装置を動作
させるためのプログラムおよびプログラムで必要なグラフィックデータ、音声データ、撮影された画像や撮影画像に対して入力した編集画像その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ（不図示）と、必要に応じて磁気ディスクや光ディスクや光磁気ディスク、または通信部４０となるＰＨＳ（Personal Handy-phone System、登録商標）ユニットを装着する入出力インターフェイス（不図示）とを備える。なお、本実施の形態において、第１コンピュータ装置１００ａはサーバとネットワークを介して通信するために、通信部４０と接続している。
【００２６】
第２コンピュータ装置１００ｂの構成は、第１コンピュータ装置１００ａと同様であるため、詳細な説明は繰り返さない。
【００２７】
コンピュータ装置１００は、電源の投入及び切断を制御する電源スイッチ１０７が押され、本装置に電源プラグより電源が投入されると、プログラムが起動されて動作を開始する。第１コンピュータ装置１００ａは、接続されるカメラ２１のシャッタタイミングや、撮影操作用ディスプレイ２３での表示や、プリンタ８５での出力を制御する。第２コンピュータ装置１００ｂは、接続される編集操作用ディスプレイ３１での表示を制御する。
【００２８】
第１コンピュータ装置１００ａのＣＰＵ１０１ａは、カメラ２１が撮像する映像（ライブ映像）と、記憶部１０２ａに記憶されている撮影動作に関する指示や操作画面とを撮影操作用ディスプレイ２３に表示する。撮影操作用ディスプレイ２３への表示は、プログラムに応じてライブ映像のみを表示したり、操作画面を表示したり、ライブ映像と操作画面とを合成して表示したり、別の画面を表示したりする。
【００２９】
ライブ映像と撮影動作に関する情報や操作画面との合成は第１コンピュータ装置１００ａの記憶部１０２ａに記憶されているソフトウェアで行なってもよいし、このような合成
をするための専用の制御装置（基板）を撮影操作用ディスプレイ２３に接続するなどハードウェアで行なってもよい。
【００３０】
また、第１コンピュータ装置１００ａは、上記プログラムの実行や、撮影操作用ディスプレイ２３に含まれるタッチパネルから受信した、利用者の指などでタッチされる入力操作にしたがった指示信号に基づいて、制御部１１０に対して制御信号を送信する。第２コンピュータ装置１００ｂは、編集操作用ディスプレイ３１に含まれるタッチパネルから受信した、タッチペン３３でタッチされる入力操作にしたがった指示信号に基づいて、制御部１１０に対して制御信号を送信する。
【００３１】
タッチパネルは、モニタ（ディスプレイ）の上に積層されている。タッチパネルは、利用者の指などが触れられることによる入力を検出する。
【００３２】
撮影操作用ディスプレイ２３には、撮影・印刷用コンピュータ装置１００ａから送信されるデータが表示される。撮影・印刷用コンピュータ装置１００ａから送信されるデータとは、カメラ２１から撮像される映像や撮影指示や選択肢などであり、これらを適宜画面に表示することによって、撮影時の映像の視覚確認や各種誘導案内などを行なう。
【００３３】
編集操作用ディスプレイ３１は、タッチペン３３からの入力を検出する。タッチペン３３での入力操作によって編集操作用ディスプレイ３１により検出されたデータ信号は、第２コンピュータ装置１００ｂに送信される。編集操作用ディスプレイ３１には、第２コンピュータ装置１００ｂから送信されるデータが表示される。したがって、利用者が落書きなどを入力している最中は、落書きなどが施された撮影画像が、編集操作用ディスプレイ３１に表示される。すなわち、利用者は編集操作用ディスプレイ３１に表示された撮影画像に対して、タッチペン３３を使用して、その上に編集入力処理を行なうことができる。
【００３４】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ８５でシールが印刷されるものとして説明を行なうが、印刷媒体はシールに限定されず、他の印刷媒体であっても同様の処理が実行される。
【００３５】
プリンタ８５は、上述の用紙切れなどの状態を第１コンピュータ装置１００ａに通知する。第１コンピュータ装置１００ａは、その状態に応じて制御部１１０に制御信号を送信する。
【００３６】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００３７】
制御部１１０は、第１コンピュータ装置１００ａ、第２コンピュータ装置１００ｂおよび電源制御部１０８の他に、コイン制御部１１３、ストロボ制御部１１４、撮影用スピーカ２７、カーテンユニット１１５、編集用スピーカ３７、印刷中ＬＥＤ８１、印刷エラーＬＥＤ８２、サービスパネル１１６、遠隔撮影ボタン９７、およびカードリーダ／ライタ１２１に接続される。
【００３８】
コイン制御部１１３は、コイン投入口に投入されたコインの正当性を検出し、制御部１１０にコインが投入されたことを示す検出信号を送信する。
【００３９】
制御部１１０は、コンピュータ装置１００から受信した制御信号にしたがって、コイン
制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００４０】
また、上記コイン投入口をブロックしているとき、制御部１１０は、利用状況表示装置５０を点灯する。コイン投入口が受付状態、すなわちプレイの待機状態である場合は、利用状況表示装置５０を消灯する。このようにすることによって、現在の装置の利用状況を外部の人にわかりやすいように提示することができる。また、利用状況だけでなく、通信設定が無効であるか有効であるかがわかるようにしてもよい。すなわち通信設定の状況を判定して、通信設定が有効であれば点灯し、無効であれば消灯する。このようにすることによって、現在装置から画像を送信できるか否かを利用者にわかりやすいように提示することができる。
【００４１】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２８などのなどの常灯照明装置も同様に制御部１１０と接続され、その照明度合いなどの設定がなされるようにしてもよい。
【００４２】
制御部１１０は、第１コンピュータ装置１００ａから受信した制御信号（指示コマンドなど）にしたがって、撮影用スピーカ２７に対して指示信号を送信し、写真シール作成装置の撮影プレイにおける操作などの案内やＢＧＭ（Back Ground Music）などを出力する
。同様に制御部１１０は、第２コンピュータ装置１００ｂから受信した制御信号にしたがって、編集用スピーカ３７に指示信号を送信し、写真シール作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００４３】
また、制御部１１０は、第１コンピュータ装置１００ａから、撮影操作用ディスプレイ２３によって利用者が所望の背景を選択する入力操作にしたがった指示信号を受信し、該指示信号にしたがってカーテンユニット１１５を制御することにより、背景ロールカーテンの巻取りや繰り出しを制御する。このようにカーテンユニット１１５で、モータの動作を制御することによって、利用者が選択した背景画像に対応した背景ロールカーテンを巻取装置から繰り出しセットする。また、第１コンピュータ装置１００ａから受信した制御信号（指示コマンドなど）によって自動的に背景画像に対応した背景ロールカーテンのセットがなされてもよい。
【００４４】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００４５】
制御部１１０は、コンピュータ装置１００から受信した制御信号にしたがって、サービ
スパネル１１６に対して制御信号を送信する。サービスパネル１１６は、該制御信号に従って、コインカウンタやプリントカウンタを動作させる（例えばカウンタを１インクリメントする）。
【００４６】
さらに、制御部１１０は、撮影・印刷用コンピュータ装置１００ｂから、プリンタ８５の状態に応じた制御信号を受信し、該制御信号にしたがって、印刷中ＬＥＤ８１及び印刷エラーＬＥＤ８２を制御する。かかる制御信号によって、印刷中ＬＥＤ８１、および印刷エラーＬＥＤ８２が点灯または点滅する。
【００４７】
本写真シール作成装置は、通信部４０によって、第１コンピュータ装置１００ａの記憶部１０２ａに記憶された画像データなどを外部に送信したり、課金のためのサーバと通信を行なったりする。この点については、後に詳細を説明する。
【００４８】
なお、言うまでもなく、写真シール作成装置の形態は図１〜図４に示される具体例に限定されるものではない。すなわち、図１〜図４に記載されない他の機能が備えられていてもよいし、図１〜図４に記載されている機能の必ずしも全てが備えられていなくても構わない。
【００４９】
［カードリーダ／ライタ１２１による通信の具体例］
図５は、図４のカードリーダ／ライタ１２１とそれと通信を行なう携帯電話、非接触ＩＣカード、または携帯端末１２１ａ（電子マネーの媒体）との構成を示す図である。
【００５０】
図を参照して、カードリーダ／ライタ１２１は、携帯電話１２１ａなどと通信を行なうためのアンテナ２０５と、アンテナ２０５を介した通信処理を行なう通信部２０３と、装置全体の制御を行なうＣＰＵ２０１と、データ通信における数値などを一時的に記憶するメモリ２０７と、カードリーダ／ライタを動作させるためのプログラムなどを記録するＲＯＭ２０９とを備えている。
【００５１】
また、電子マネーの媒体１２１ａは、カードリーダ／ライタ１２１と通信を行なうためのアンテナ２０５と、アンテナ３０５を介した通信処理を行なう通信部３０３と、装置全体の制御を行なうＣＰＵ３０１と、数値などを一時的に記憶するメモリ３０７と、電子マネーの媒体１２１ａを制御するためのプログラムを記録するＲＯＭ３０９とを備えている。このような構成により、カードリーダ／ライタ１２１と電子マネー媒体１２１ａとは、非接触でデータのやりとりが行なえるようになっている。
【００５２】
［写真シール作成装置の動作］
図６および７は、写真シール作成装置の行なう処理を示すフローチャートである。
【００５３】
また、図８および９は、図６および７に示されるフローチャートの各ステップで撮影操作用ディスプレイ２３に表示される内容を示す図である。
【００５４】
図６および７を参照して、写真シール作成装置の撮影処理においては、ステップＳ１で初期化処理が行なわれる。ステップＳ２で、撮影操作用ディスプレイ２３にタイトルデモ画面が表示される。
【００５５】
これは、図８Ａに示されるように、タイトルの表示と、電子マネーまたはコインにより支払いをする旨の表示を行なうための画面である。
【００５６】
ステップＳ３において、カードリーダ／ライタ１２１が携帯電話１２１ａなどの電子マネーの媒体を認識したかが判定される。ステップＳ３でＹＥＳであれば、ステップＳ５において電子マネーの課金処理の認証中の画面を表示する。
【００５７】
これは、図８Ｂに示されるように、電子マネーの媒体の認証処理を行なっていることを示すための画面である。
【００５８】
ステップＳ６において、通信部４０を介して認証センターのサーバに問合せを行なう。ステップＳ７において認証センターへの認証が成功したかが判定され、成功したのであればステップＳ９において利用者の有する携帯電話１２１ａの電子マネーの残金が所定金額（ここでは４００円）以上であるかを判定する。
【００５９】
ステップＳ９でＹＥＳであれば、ステップＳ１１において金額確認画面を表示する。
これは、図８Ｃに示されるように、認証された電子マネーの媒体の電子マネー残金と、装置の利用対価であるプレイ料金４００円と、プレイ料金差引き後の電子マネー残額とを表示し、ユーザから入金の確認の指示を受付けるものである。
【００６０】
ステップＳ１２において、ユーザによりＯＫボタンが押下されたかが判定され、ＹＥＳであればステップＳ１５で入金処理の指示を行なう。ステップＳ１６で入金が完了するまで待機し、入金が完了するとステップＳ１７で入金確認画面を表示する。
【００６１】
これは、図９Ｄに示されるように４００円の入金がなされたことと、プレイ料金差引き後の電子マネー残額をユーザに知らせるための画面である。
【００６２】
その後、ステップＳ２１でユーザの写真を撮影するための設定が行なわれ、ステップＳ２２で撮影が行なわれる。ステップＳ２３で所定回数の撮影が完了したかが判定され、ＹＥＳであればステップＳ２４において第２コンピュータ装置１００ｂに撮影画像を転送する処理が行なわれ、ステップＳ１に戻る。
【００６３】
また、ステップＳ２３でＮＯであれば、ステップＳ２１から撮影の処理を続行する。
また、図６のステップＳ３においてＮＯであれば、ステップＳ４においてコイン制御部１１３により所定数のコインの投入があったかが判定され、ＹＥＳであればステップＳ２１（図７）へ進み、ＮＯであればステップＳ２に戻る。
【００６４】
このように、本装置は電子マネーでもコインでも利用対価を受付け可能にしている。このためユーザが電子マネーの媒体を持っていない場合でも、コインを投入することにより装置を利用することができる。
【００６５】
また、ステップＳ７で認証が失敗したのであれば、ステップＳ８で認証失敗画面を表示する。
【００６６】
これは、図８Ｅに示されるように認証が失敗したことと、カードリーダ／ライタに他の携帯電話か対応のカードをかざすか、またはコイン投入口にコインを投入することを促す画面である。認証失敗画面の表示の後、ステップＳ２からの処理を行なう。
【００６７】
また、ステップＳ９でＮＯであれば、ステップＳ１０において金額不足案内画面を表示する。
【００６８】
これは、図８Ｆに示されるように認証した電子マネー媒体の電子マネー残高がプレイ料金に満たないことを示す画面である。金額不足案内画面の表示の後、ステップＳ２からの処理が行なわれる。
【００６９】
また、ステップＳ１２においてＮＯであれば、ステップＳ１３においてキャンセルボタンが押下されたかを判定する。ここでＹＥＳであればステップＳ２からの処理を行ない、ＮＯであればステップＳ１４において所定時間が経過したかを判定する。ステップＳ１４でＹＥＳであれば、ステップＳ２に戻り、ＮＯであればステップＳ１２へ戻る。
【００７０】
以上のような構成を採用することで、ユーザは非接触ＩＣカードや携帯電話などの電子マネーの媒体を用いて電子決済による支払を行なうことが可能になるという効果がある。これにより、ユーザは煩わしい両替をしたりコインを予め準備したりする必要がなくなる。また、電子決済を行なうときに電子マネーの残高を確認することができるため、ユーザの利便性が増すという効果がある。
【００７１】
さらに、電子マネーでの支払とともに、コインを用いた支払も可能であるため、電子決済をしたくない利用者にも対応できるという効果がある。
【００７２】
［第２の実施の形態］
図１０は、本発明の第２の実施の形態における写真シール作成装置の動作を示すフローチャートであり、図６に対応する図である。
【００７３】
また、図１１および図１２は、図１０に示されるフローチャートの各ステップで撮影操作用ディスプレイ２３に表示される内容を示す図である。
【００７４】
図１０のフローチャートが図６のフローチャートと異なる点は、ステップＳ９において電子マネーの残金が所定の単位金額（ここでは１００円）以上であるかを判定し、その後の処理を行なっている点である。ステップＳ９でＹＥＳであれば、ステップＳ１１において金額確認画面を表示する。
【００７５】
これは、図１１Ａに示されるように装置使用の対価である４００円のうち１００円単位で電子マネーの残金から最大限引出すことのできる金額を表示し、その入金を行なってよいかをユーザに問合せる画面である。
【００７６】
図１１Ａは１例として、電子マネーの残金が２２３円でそのうち最大限引出すことのできる金額として２００円入金されることを確認する画面を示している。残りの２００円はコインまたは他の電子マネーの媒体により入金することができる。なお、１００円単位でユーザ所望の金額分だけを入金することができるようにしてもよい。
【００７７】
ステップＳ１２においてＯＫボタンが押下されたのであれば、ステップＳ１５において入金処理の指示を行なう。ステップＳ１６で入金が完了したと判定されると、ステップＳ１７で入金確認画面を表示する。
【００７８】
これは、図１２Ｂに示されるように入金された金額と、残額とを表示するものである。
ステップＳ１８においてプレイ料金すなわち装置使用のための所定の対価（ここでは４００円）の決済が完了したかを判定し、ＹＥＳであれば図７のステップＳ２１からの撮影処理を行ない、ＮＯであればステップＳ１９において残金投入指示画面を表示して、ステップＳ３に戻る。
【００７９】
これは、図１２Ｃに示されるように対価の残り額をユーザに対し表示し、その入金を電子マネーまたはコインにより行なう旨促すための画面である。
【００８０】
なお、ステップＳ９でＮＯであれば、ステップＳ１０において金額不足案内画面を表示する。
【００８１】
これは、図１１Ｄに示されるように、電子マネーの残金が１００円未満であることを示すための画面である。この表示の後、ステップＳ２からの処理を行なう。
【００８２】
本実施の形態によると、電子マネーにより、１００円単位で可能な限り入金処理を行ない、不足する部分は他の電子マネーの媒体またはコインにより入金処理を行なうことができる。これにより、ユーザ所持の電子マネー残金が所定のプレイ料金には満たないが、所定料金の一部なら支払うことができるという場合に、プレイ料金の一部のみ電子マネーで支払うことができるため、ユーザの利便性が向上するという効果がある。
【００８３】
［第３の実施の形態］
図１３および１４は、第３の実施の形態における写真シール作成装置の行なう処理を示すフローチャートである。
【００８４】
また、図１５〜１９は、図１３および１４に示されるフローチャートの各ステップで撮影操作用ディスプレイ２３に表示される内容を示す図である。
【００８５】
図１３および図１４を参照して、ステップＳ３１において初期化処理が行なわれる。ステップＳ３２においてタイトルと支払方法選択画面が表示される。
【００８６】
これは、図１５Ａに示されるように電子マネーとコインとの支払方法の組合せの中でどの支払方法を選択して支払を行なうのかをユーザに問合せるための画面である。
【００８７】
支払方法が選択された後に、ステップＳ３３においてＯＫボタンが押下された場合は、ステップＳ３４において決済指示画面が表示される。
【００８８】
これは、図１５Ｂに示されるように、指定された支払方法に従って入金をユーザに対して指示するための画面である。
【００８９】
ステップＳ３５において、コインによる支払のみで電子マネーによる支払が行なわれないかが判定される。すなわち、図１５Ａの支払方法選択画面で「コイン１００円×４」が選択されたか否かの判定である。ＮＯであれば、ステップＳ３９においてカードリーダ／ライタの受付を開始し、ステップＳ４０においてカードリーダ／ライタが電子マネーの媒体を認識したかを判定する。ＹＥＳであれば、ステップＳ４１において電子マネー認証中の画面を表示し、ステップＳ４２でセンターへの問合せを行なう。
【００９０】
ステップＳ４３で認証に失敗したかが判定され、ＮＯであれば図１４のステップＳ４５で電子マネーの残金が所定金額（ここでは１００円）以上であるかを判定する。
【００９１】
ステップＳ４５でＹＥＳであれば、ステップＳ４７で金額確認画面を表示する。
これは、図１６Ｃに示されるように認証が成功したことと、支払う金額の確認を行なうための画面である。
【００９２】
ステップＳ４８でユーザによりＯＫボタンが押下されたかが判定され、ＹＥＳであればステップＳ５１において入金処理の指示を行ない、ステップＳ５２で入金が完了するまで待機する。その後、ステップＳ５３において入金確認画面の表示が行なわれる。
【００９３】
これは、図１６Ｄに示されるように、入金された金額と差引き後の電子マネーの残金をユーザに知らせるための画面である。
【００９４】
ステップＳ５４において所定金額（ここでは４００円）の決済が完了したかが判定され、ＹＥＳであれば図７のステップＳ２１からの処理を行なう。
【００９５】
また、ここでＮＯであればステップＳ３４に戻る。これは、２人目以降の入金処理を行なうものであり、２人目に対しては図１６Ｅ、図１７ＦおよびＧの表示がなされ、３人目に対しては、図１８Ｉの表示がなされ、４人目に対しては図１８Ｈ、図１８Ｊ、図１９ＫおよびＬの表示がなされる。ここでは、３人目のみがコインで支払いを行ない、それ以外は電子マネーで支払いを行なった例を示している。この例では、コイン入金のタイミングは３人目で行なっているが、どのタイミングで行なっても構わない。
【００９６】
また、電子マネーが所定金額に足りずに入金ができない場合も想定される。このような場合は、電子マネー支払いからコイン支払いに切替えることもできるようにし、どのタイミングでもコイン支払いができるようにしておくことによって、柔軟に入金の受付けができるようにしておくことが好ましい。
【００９７】
図１３のステップＳ３５でＹＥＳ、またはステップＳ４０でＮＯであれば、ステップＳ３６においてコインの投入があったかが判定され、ＹＥＳであればステップＳ５３へ進み、ＮＯであればステップＳ３４に戻る。
【００９８】
また、ステップＳ４３においてＹＥＳであれば、ステップＳ４４において認証に失敗したことを示す画面を表示し、ステップＳ３２に戻る。
【００９９】
図１４のステップＳ４５でＮＯであれば、ステップＳ４６で金額不足案内画面を表示する。その後、ステップＳ３４に戻る。
【０１００】
また、ステップＳ４８でＮＯであれば、ステップＳ４９でキャンセルボタンが押下されたかを判定し、ＹＥＳであればステップＳ３４に戻り、ＮＯであればステップＳ５０で所定時間が経過したかを判定する。ここでＹＥＳであれば、ステップＳ３４に戻り、ＮＯであればステップＳ４８へ戻る。このように、一旦認証した電子マネーの媒体をキャンセルすることもできる。
【０１０１】
［第４の実施の形態］
図２０および２１は、本発明の第４の実施の形態における写真シール作成装置の処理を示すフローチャートであり、図２２は図２１の端数計算処理（Ｓ９５）の内容を示すフローチャートである。
【０１０２】
また、図２３〜図３１は、第４の実施の形態における写真シール作成装置で表示される画面を示す図である。
【０１０３】
図２０を参照して、ステップＳ７１において初期化処理が行なわれる。ステップＳ７２においてタイトルデモと人数選択画面が表示される。
【０１０４】
これは、図２３Ａに示されるように、写真シール作成装置で一度に撮影を行なう人の人数をユーザが設定するための画面である。その人数に応じた一人分の支払額が人数選択画面においては表示される。なお、本実施形態は原則として電子マネーでのみ決済することを想定しているが、コインでのみ決済することも可能にするように、人数選択画面に「コインだけで支払う場合はここをタッチしてね」などの案内ボタンを同時に表示して、コインを受付けるようにしてもよい。
【０１０５】
人数選択画面において、ステップＳ７３で人数が選択されると、ステップＳ７４において装置利用の対価と人数とに応じて、割り勘を行なう場合の一人分の支払額を算出する処理が行なわれ、ステップＳ７５においてその金額が人数選択画面に反映される。このように人数選択画面に一人分の支払額を表示することによって、ユーザに支払金額を明確に提示することができる。その後、ステップＳ７２からの処理が行なわれる。
【０１０６】
また、ステップＳ７３でＮＯであれば、人数選択画面においてＯＫボタンが押下されるまで、ステップＳ７３からの処理を繰返す。
【０１０７】
ステップＳ７６において、ＯＫボタンが押下されると、ステップＳ７７において決済指示画面の表示が行なわれる。
【０１０８】
これは、図２３Ｂに示されるように、装置を利用する各ユーザに対し入金を促すための画面である。
【０１０９】
ついで、ステップＳ８０においてカードリーダ／ライタの受付を開始する。ステップＳ８１においてカードリーダ／ライタが電子マネーの媒体を認識した場合、ステップＳ８２において電子マネー認証中画面を表示する。
【０１１０】
ステップＳ８３においてセンターへの問合せを行ない、ステップＳ８４において認証が失敗したかを判定する。
【０１１１】
ステップＳ８４でＮＯであれば、ステップＳ８６において電子マネーの残金が所定金額以上であるかが判定される。ＹＥＳであれば、ステップＳ８７において金額確認画面が表示される。
【０１１２】
これは、図２４Ｃに示されるように、現在の残金と差引き金額と差引き後の残金との確認をユーザに促すための画面である。
【０１１３】
ステップＳ８８においてＯＫボタンが押下されたかが判定され、ＹＥＳであればステップＳ９１において入金処理の指示を行なう。ステップＳ９２で入金が完了したかを判定し、ＹＥＳであればステップＳ９３において入金確認画面を表示する。
【０１１４】
これは図２４Ｄに示されるように、入金額と差引き後の残金をユーザに知らせるための画面である。
【０１１５】
その後、ステップＳ９４において所定金額の決済が完了したかを判定し、ＹＥＳであれば図７のステップＳ２１からの処理を行なう。また、ＮＯであればステップＳ７７に戻る。これは、２人目以降の入金処理を行なうものであり、２人目に対しては図２４Ｅ、図２５ＦおよびＧの表示がなされ、３人目に対しては、図２６Ｈ以降の表示がなされる。
【０１１６】
また、ステップＳ８１でＮＯであれば、ステップＳ７９で決済指示画面が表示されてから所定時間が経過したか判定し、ＹＥＳであればステップＳ７２へ戻り、ＮＯであればステップＳ８１に戻る。
【０１１７】
また、ステップＳ８４で認証が失敗したのであれば、ステップＳ８５において認証失敗画面を表示し、ステップＳ７７へ戻る。
【０１１８】
ステップＳ８６においてＮＯであれば、ステップＳ９５で端数計算処理を行ない、ステップＳ９３へ進む。すなわち、電子マネーの残金が決済金額に足りないとしても、端数計算処理を行なうことで、所定のプレイ料金が支払えるようになっている。
【０１１９】
ステップＳ８８でＮＯであれば、ステップＳ８９でキャンセルボタンが押下されたかを判定し、ＹＥＳであればステップＳ７７へ戻り、ＮＯであれば、ステップＳ９０で所定時間が経過したかを判定する。ここで、ＹＥＳであればステップＳ７７へ戻り、ＮＯであればステップＳ８８へ戻る。
【０１２０】
図２２は、図２１の端数計算処理（Ｓ９５）の内容を示すフローチャートである。
図を参照して、ステップＳ１０１において計算処理を行ない、ステップＳ１０２において金額不足案内／決済方法提示画面を表示する。
【０１２１】
これは、図２６Ｉに示されるように電子マネー残金が所定額に満たないことを示し、必要な金額と不足金額とをユーザに知らせる画面である。本実施の形態では、不足分はコインにより支払うこととなる。ここでは、電子マネーの残金が５０円であり、必要金額が１３４円であるので、８４円が不足する旨表示され、１００円を投入する旨の指示が表示される。
【０１２２】
ステップＳ１０３においてＯＫボタンが押下されたかを判定し、ＹＥＳであればステップＳ１０４でコインが投入されたかを判定する。
【０１２３】
ステップＳ１０４でＹＥＳであれば、ステップＳ１０５で入金確認画面を表示する。
これは、図２６Ｊに示されるようにコインが投入されたことを示す画面である。
【０１２４】
ステップＳ１０６において、提示した所定数のコインの投入があったかを判定し、ＹＥＳであればステップＳ１０７で返金が必要であるかを判定する。
【０１２５】
図２６ＩおよびＪの例ではＮＯであるため、ステップＳ７７へ戻り、残額の決済が行なわれる。
【０１２６】
すなわち、図２７ＫおよびＬ、ならびに図２８に示されるように、残額が電子マネーにより決済される。
【０１２７】
また、コインで支払った金額の過剰分を電子マネーで返金する設定としても良い。その場合、図２２のステップＳ１０２において、図２９Ｏに示されるようにコインを必要金額よりも多め（ここでは２００円）入れるよう指示する。図２９Ｐ、図３０Ｑに示されるように、指示した２００円が投入されるまで、ステップＳ１０５で入金確認画面を表示する。提示した所定数のコインの投入があれば（Ｓ１０６でＹＥＳ）、ステップＳ１０７で返金ありと判断し、ステップＳ１０８において返金案内画面を表示する。
【０１２８】
これは、図３０Ｒに示されるように電子マネーによる返金を行なうときの返金額を示すものである。
【０１２９】
その後、ステップＳ１０９でカードリーダ／ライタが媒体を認識したかを判定し、ＹＥＳであればステップＳ１１０で認証中画面を表示する。ステップＳ１１１でセンターへの問合せを行ない、ステップＳ１１２で返金が完了したと判定されるとステップＳ１１３で返金金額確認画面を表示させる。
【０１３０】
これは、図３１Ｓに示されるように、返金額をユーザに知らせるための画面である。
また、ステップＳ１１２でＮＯであれば、ステップＳ１１４でエラー処理を行なう。
【０１３１】
写真シール作成装置は、複数人の利用者が共同で利用することが多い。このため、利用者は対価を割り勘で支払うことが多いが、割り勘の計算は煩わしいという問題があった。本実施の形態においては、割り勘の計算が自動的に行なわれ、対価の支払もスムーズに行なうことができるという効果がある。
【０１３２】
また、コインの代わりに両替の必要のない電子マネーの媒体を用いて課金処理をする場合において、複数人の利用者が共同で装置を利用するという特性と、電子マネーの媒体によって一括で決済するという特性とが相反し、ユーザが後で割り勘の計算をして各々に分配する必要が生じることがあった。本実施の形態においては課金もユーザごとに行なわれるためそのような問題点を解決することができる。
【０１３３】
［テストモードについて］
なお、装置の使用の履歴などを管理するために、従来は、図３２に示すようなテストモード画面を設け、履歴情報として投入されたコインの数、総プレイ数、サービスプレイ回数を記録していたが、図３３に示されるように図３２の情報に加えてコインの金額や電子決済の回数や電子決済された金額などを管理する。
【０１３４】
［第５の実施の形態］
図３４は、本発明の第５の実施の形態における写真シール作成装置の動作を示すフローチャートである。また、図３５〜図３７は、第５の実施の形態における写真シール作成装置の操作画面に表示される内容を示す図である。
【０１３５】
本実施の形態においては、図６のステップＳ１１までの処理が終了した後、図３４のステップＳ１２からの処理が実行される。図３５は、第５の実施の形態における写真シール作成装置においてタイトルデモ画面として表示される内容を示す図である。図３５の画面が表示されている状態で、電子マネーの認証が行なわれ、電子マネーの残金が所定金額以上あった場合には、図３６の画面が表示される。
【０１３６】
ここでは、電子マネーの残金として６００円あることが示されており、１００円の対価の支払を行なうボタンが表示されている。また、図３６の画面の下側には、装置の利用のためには１００円の投入が４回必要であることが示されており、まだ対価の投入が行なわれていないことが示されている。
【０１３７】
図３４のステップＳ１２において、図３６の画面から１００円のボタンが押下されたかを判定し、ＹＥＳであればステップＳ１５で１００円の入金処理を指示する。ステップＳ１６で入金が完了するまで待機し、入金が完了すると、ステップＳ１７で入金確認画面を表示する。その後、ステップＳ１８において所定金額（ここでは４００円）の決済が完了したかを判定し、ＹＥＳであれば図７のステップＳ２１へ進む。
【０１３８】
また、ステップＳ１８でＮＯであれば、ステップＳ１９において残金投入指示画面を表示する。
【０１３９】
これは、図３７に示されるように電子マネーの残金と１００円ボタンを表示し、１００円ボタンが押下されることで１００円の支払が行なわれることを示すための画面である。
【０１４０】
その後、ステップＳ１２において１００円ボタンが押下されたかを判定する。
また、ステップＳ１２でＮＯであれば、ステップＳ１３でキャンセルボタンが押下されたかを判定する。ここでＹＥＳであれば、図６のステップＳ２に戻り、ＮＯであれば、ステップＳ１４で所定時間が経過したかを判定する。ＹＥＳであればステップＳ２に戻り、ＮＯであればステップＳ１２に戻る。
【０１４１】
本実施の形態においては、ユーザがボタン押下するたびに、１００円の引落しが行なわれる。これにより、１回のボタンの押下と１００円硬貨の投入とを対応付けることができ、ユーザにとって支払額が確認しやすくなり、操作がわかりやすいという効果がある。
【０１４２】
［第６の実施の形態］
図３８は、本発明の第６の実施の形態における写真シール作成装置の動作を示すフローチャートである。
【０１４３】
また、図３９は図３８の電子マネー処理（Ｓ３０９）の内容を示すフローチャートであり、図４０は図３８のコイン処理（Ｓ３１１）の内容を示すフローチャートである。また図４１〜図４７は、第６の実施の形態において写真シール作成装置の操作画面に表示される内容を示す図である。
【０１４４】
図３８を参照して、ステップＳ３０１において初期化処理が行なわれ、ステップＳ３０３においてタイトルデモ画面が表示される。
【０１４５】
これは、図４１に示されるようにユーザに対しコインの投入や携帯電話などによる支払を促すための画面である。
【０１４６】
ステップＳ３０５においてカードリーダ／ライタが電子マネーの媒体を認識したかを判定し、ＮＯであればステップＳ３０７でコインの投入が検出されたかを判定する。
【０１４７】
ステップＳ３０７でＮＯであれば、ステップＳ３０３へ戻り、ステップＳ３０５、Ｓ３０７のいずれかでＹＥＳであれば、それぞれステップＳ３０９、Ｓ３１１で電子マネー処理またはコイン処理のいずれかを実行する。
【０１４８】
電子マネー処理においては、図３９に示されるようにステップＳ４０１で認証処理を行ない、ステップＳ４０３で電子マネーの残金が所定金額（ここでは１００円）以上あるかを判定する。ＹＥＳであれば、ステップＳ４０５で金額入力画面を表示する。
【０１４９】
ステップＳ４０７で金額の入力が行なわれ、ステップＳ４０９で入金処理を行なう。
ステップＳ４１１で所定金額の決済が完了したと判定されたのであれば、図７のステップＳ２１からの処理を行なう。
【０１５０】
また、ステップＳ４１１でＮＯであれば、ステップＳ４１５で残金投入指示画面を表示し、ステップＳ３０５へ戻る。
【０１５１】
また、ステップＳ４０３でＮＯであれば、ステップＳ４１３で金額不足案内画面を表示し、ステップＳ３０３へ戻る。
【０１５２】
また、図３８のコイン処理（Ｓ３１１）においては、図４０に示されるように、ステップＳ５０１で入金処理を行ない、ステップＳ５０３で所定金額の決済が完了したかを判定する。ＹＥＳであれば、図７のステップＳ２１からの処理を行なう。ステップＳ５０３でＮＯであれば、ステップＳ５０５で残金投入指示画面を表示し、ステップＳ３０５へ戻る。
【０１５３】
本実施の形態においては、図４１の画面においてコインが１００円投入されると、図４２の表示が行なわれ、さらにコインが１００円投入されると、図４３の表示が行なわれる。また、電子マネーの残金が１００円未満である場合には、図４４の画面が表示される。
【０１５４】
電子マネーの残金が１００円以上ある場合には、図４５に示される金額入力画面が表示される。これは、電子マネーの残金に応じて支払額を選択させるための画面である。図４５の画面においては電子マネーの残金として６２８円が残っており、そのうち１００円、２００円、３００円のいずれの支払を行なうかをユーザから入力する。例えば図４５の画面でユーザが「１００円」を選択すると、図４６の画面が表示される。
【０１５５】
また、図４５の画面が表示されている状態で携帯電話が取り替えられたりすると、図４７の画面が表示される。
【０１５６】
［第７の実施の形態］
図４８は、本発明の第７の実施の形態における写真シール作成装置の処理を示すフローチャートである。
【０１５７】
図を参照して、ステップＳ６０１において初期化処理を行ない、ステップＳ６０３においてタイトルデモ画面を表示する。
【０１５８】
ステップＳ６０５でカードリーダ／ライタが電子マネーの媒体を認識したかを判定し、ＹＥＳであればステップＳ６０７において認証処理を行なう。
【０１５９】
ステップＳ６０９で電子マネーの残金が１００円以上であるかを判定し、ＹＥＳであればステップＳ６１１で１００円を入金する処理を行なう。
【０１６０】
ステップＳ６１３で所定金額の決済が完了したかを判定し、ＹＥＳであれば図７のステップＳ２１からの処理を行なう。
【０１６１】
また、ステップＳ６１３でＮＯであれば、ステップＳ６１９において残金投入指示画面を表示し、ステップＳ６０５へ戻る。
【０１６２】
また、ステップＳ６０５でＮＯであれば、ステップＳ６１５で所定数のコインの投入があったかを判定し、ＹＥＳであれば図７のステップＳ２１へ進み、ＮＯであれば、ステップＳ６０３へ戻る。
【０１６３】
さらに、ステップＳ６０９でＮＯであれば、ステップＳ６１７において金額不足案内画面を表示し、ステップＳ６０５へ戻る。
【０１６４】
本実施の形態においては、ユーザが携帯電話や非接触型ＩＣカードなどのような電子マネーの媒体を装置に近づけるごとに、１００円の入金処理が行なわれ、４００円分の入金処理が行なわれたときに装置における撮影が許可される。これによりユーザは操作画面などを操作することなく入金処理を行なうことができるため、装置の使い勝手が良くなるという効果がある。
【０１６５】
［その他］
なお、第４の実施の形態においては割り勘を行なったときに端数分は１人に課金するようにしているが、端数分は切捨てるようにしてもよい。
【０１６６】
また、カードリーダ／ライタはリアルタイムに金額の確認ができるように、撮影操作用ディスプレイ２３の近くに設置することが望ましい。
【０１６７】
また、携帯電話や非接触型ＩＣカードを載置するタイプのカードリーダ／ライタを用いると、ユーザがプレイ後に携帯電話などを置き忘れたり、盗難されたりする恐れがあるため、ユーザが携帯電話やカードをかざすタイプのカードリーダ／ライタを用いることが望ましい。また、カードリーダ／ライタの上部の面は斜めに形成しておくことで携帯電話などを載置できないようにしておくことが望ましい。
【０１６８】
また、カードリーダ／ライタはコイン投入口と近接した場所に設けることが望ましい。
また、電子決済を行なうには時間がかかるため、撮影空間と分けて撮影前空間を設置し、そこで決済を行なうようにしてもよい。さらに撮影と編集との間で電子決済を行なうようにしてもよいし、プリントをユーザが待機しているときに決済を行なうようにしてもよい。
【０１６９】
また、携帯電話をカードリーダ／ライタにかざすと、携帯電話に内蔵されたアプリケーションソフトが自動的に起動するように構成してもよい。このようにすることで、写真シール作成装置と携帯電話とが連動しているようにユーザに見せることができる。さらに、携帯電話をカードリーダ／ライタにかざすと、携帯電話のアプリケーションが自動的に立上がり、画像が携帯電話の中に入るように見せかけるような処理を行なってもよい。
【０１７０】
また、コインによる決済は写真シール作成装置の内側（撮影空間など）で行なうようにして、電子マネーによる決済は装置の外側に設けられたカードリーダ／ライタで行なうようにしてもよい。
【０１７１】
また、写真シール作成装置の外側にカードリーダ／ライタを設置して、現在の電子マネー残金の確認ができるようにしてもよいし、電子マネーの媒体に電子マネーをチャージできるような入金装置を配備してもよい。
【０１７２】
また、カードリーダ／ライタは複数設置するようにしてもよい。これにより、決済時間を短縮することが可能となる。
【０１７３】
また、複数の携帯電話やＩＣカードを同時に認識することができるカードリーダ／ライタを用いることで、決済時間を短縮するようにしてもよい。
【０１７４】
また、携帯電話とカードリーダ／ライタが通信を行なうときに、携帯電話に登録されたメールアドレスなどを写真シール作成装置に取込むようにしてもよい。このようにすることで、写真シール作成装置で撮影された画像を携帯電話に送信するときにユーザはメールアドレスを入力することが不要となる。
【０１７５】
また、上記実施の形態においては写真シール作成装置において電子マネーとコインとをともに受付けることとしたが、電子マネーのみを受付けるように装置を構成することも可能である。この場合、電子マネー対応の携帯電話やＩＣカードを所持していない人が装置を使用することができるように、写真シール作成装置を設置している店の入口で所定の金額をチャージしてＩＣカードなどを貸出すようにすればよい。この場合、カードを回収するために写真シール作成装置にカードを挿入するようにし、それを返却しないように構成することが望ましい。また、残金が０になるとカードを回収するようにしてもよい。
【０１７６】
さらに、カードのＩＤによって写真シール作成装置を使用するユーザのカードであるか、店のカードであるかを判定してそれに基づいて回収を行なうか否かを決定してもよい。
【０１７７】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７９】
【図１】本発明の実施の形態の１つにおける写真撮影装置の外観の具体例を示す斜視図である。
【図２】写真撮影装置を横から見た図である。
【図３】写真撮影装置を上から見た図である。
【図４】写真撮影装置の機能構成の具体例を示す図である。
【図５】図４のカードリーダ／ライタ１２１とそれと通信を行なう携帯電話、非接触ＩＣカード、または携帯端末１２１ａとの構成を示す図である。
【図６】写真シール作成装置の行なう処理を示すフローチャートである。
【図７】図６に続くフローチャートである。
【図８】図６および７に示されるフローチャートの各ステップで撮影操作用ディスプレイ２３に表示される内容を示す図である。
【図９】図８に続く内容を示す図である。
【図１０】本発明の第２の実施の形態における写真シール作成装置の動作を示すフローチャートである。
【図１１】図１０に示されるフローチャートの各ステップで撮影操作用ディスプレイ２３に表示される内容を示す図である。
【図１２】図１１に続く内容を示す図である。
【図１３】第３の実施の形態における写真シール作成装置の行なう処理を示すフローチャートである。
【図１４】図１３に続くフローチャートである。
【図１５】図１３および１４に示されるフローチャートの各ステップで撮影操作用ディスプレイ２３に表示される内容を示す図である。
【図１６】図１５に続く内容を示す図である。
【図１７】図１６に続く内容を示す図である。
【図１８】図１７に続く内容を示す図である。
【図１９】図１８に続く内容を示す図である。
【図２０】本発明の第４の実施の形態における写真シール作成装置の処理を示すフローチャートである。
【図２１】図２０に続くフローチャートである。
【図２２】図２１の端数計算処理（Ｓ９５）の内容を示すフローチャートである。
【図２３】第４の実施の形態における写真シール作成装置で表示される画面を示す図である。
【図２４】図２３に続く内容を示す図である。
【図２５】図２４に続く内容を示す図である。
【図２６】図２５に続く内容を示す図である。
【図２７】図２６に続く内容を示す図である。
【図２８】図２７に続く内容を示す図である。
【図２９】電子マネーで返金を行なう場合の例を示す図である。
【図３０】図２９に続く内容を示す図である。
【図３１】図３０に続く内容を示す図である。
【図３２】テストモード画面を示す図である。
【図３３】改良されたテストモード画面を示す図である。
【図３４】第５の実施の形態における写真シール作成装置の動作を示すフローチャートである。
【図３５】第５の実施の形態における写真シール作成装置の操作画面に表示される内容を示す図である。
【図３６】図３５に続く内容を示す図である。
【図３７】図３６に続く内容を示す図である。
【図３８】第６の実施の形態における写真シール作成装置の動作を示すフローチャートである。
【図３９】図３８の電子マネー処理（Ｓ３０９）の内容を示すフローチャートである。
【図４０】図３８のコイン処理（Ｓ３１１）の内容を示すフローチャートである。
【図４１】第６の実施の形態において写真シール作成装置の操作画面に表示される内容を示す図である。
【図４２】図４１に続く内容を示す図である。
【図４３】図４２に続く内容を示す図である。
【図４４】図４３に続く内容を示す図である。
【図４５】図４４に続く内容を示す図である。
【図４６】図４５に続く内容を示す図である。
【図４７】図４６に続く内容を示す図である。
【図４８】第７の実施の形態における写真シール作成装置の処理を示すフローチャートである。
【符号の説明】
【０１８０】
４０  通信部、１００ａ  第１コンピュータ装置、１００ｂ  第２コンピュータ装置、１２１  カードリーダ／ライタ、２０１  ＣＰＵ、２０３  通信部、２０５  アンテナ、２０７  メモリ、２０９  ＲＯＭ、３０１  ＣＰＵ、３０３  通信部、３０５  アンテナ、３０７  メモリ、３０９  ＲＯＭ。
【図１】
0004711811.tif 000002
【図２】
0004711811.tif 000003
【図３】
0004711811.tif 000004
【図４】
0004711811.tif 000005
【図５】
0004711811.tif 000006
【図６】
0004711811.tif 000007
【図７】
0004711811.tif 000008
【図８】
0004711811.tif 000009
【図９】
0004711811.tif 000010
【図１０】
0004711811.tif 000011
【図１１】
0004711811.tif 000012
【図１２】
0004711811.tif 000013
【図１３】
0004711811.tif 000014
【図１４】
0004711811.tif 000015
【図１５】
0004711811.tif 000016
【図１６】
0004711811.tif 000017
【図１７】
0004711811.tif 000018
【図１８】
0004711811.tif 000019
【図１９】
0004711811.tif 000020
【図２０】
0004711811.tif 000021
【図２１】
0004711811.tif 000022
【図２２】
0004711811.tif 000023
【図２３】
0004711811.tif 000024
【図２４】
0004711811.tif 000025
【図２５】
0004711811.tif 000026
【図２６】
0004711811.tif 000027
【図２７】
0004711811.tif 000028
【図２８】
0004711811.tif 000029
【図２９】
0004711811.tif 000030
【図３０】
0004711811.tif 000031
【図３１】
0004711811.tif 000032
【図３２】
0004711811.tif 000033
【図３３】
0004711811.tif 000034
【図３４】
0004711811.tif 000035
【図３５】
0004711811.tif 000036
【図３６】
0004711811.tif 000037
【図３７】
0004711811.tif 000038
【図３８】
0004711811.tif 000039
【図３９】
0004711811.tif 000040
【図４０】
0004711811.tif 000041
【図４１】
0004711811.tif 000042
【図４２】
0004711811.tif 000043
【図４３】
0004711811.tif 000044
【図４４】
0004711811.tif 000045
【図４５】
0004711811.tif 000046
【図４６】
0004711811.tif 000047
【図４７】
0004711811.tif 000048
【図４８】
0004711811.tif 000049